(57)【要約】  ヒートポンプユニット（７）は、整流回路（１１）と、整流回路（１１）によって得られた直流電流から電源を生成する電源回路（１２）と、生成された電源をもとに動作し、整流回路（１１）から電源回路（１２）への給電を遮断させる機能を含む制御装置（１３）と、循環する水が通る配管（２７）と、配管（２７）の温度又はヒートポンプユニット（７）の外部の空気の温度が配管（２７）を通る水が凍結する恐れがあるとあらかじめ決められた温度以下である場合、整流回路（１１）から電源回路（１２）への給電が遮断されているとき、整流回路（１１）から電源回路（１２）への給電を復活させるサーモスタットセンサ（２１）とを有する。制御装置（１３）は、整流回路（１１）から電源回路（１２）への給電が遮断されている状態から復活した場合、圧縮機（１０）を駆動させると共に、タンクユニット（１）とヒートポンプユニット（７）との間で水を循環させる。
2020179030.tif 000002
【特許請求の範囲】
【請求項１】
タンクユニットに接続されるヒートポンプユニットであって、
前記タンクユニットから供給される交流電流を直流電流に変換する整流回路と、
前記整流回路によって得られた直流電流から電源を生成する電源回路と、
前記電源回路によって生成された電源をもとに動作し、前記整流回路から前記電源回路への給電を遮断させる機能を含む制御装置と、
前記タンクユニットと前記ヒートポンプユニットとの間を循環する水が通る配管と、
前記配管の温度又は前記ヒートポンプユニットの外部の空気の温度を検出し、検出した温度が前記配管を通る水が凍結する恐れがあるとあらかじめ決められた温度以下である場合、前記整流回路から前記電源回路への給電が遮断されているとき、前記整流回路から前記電源回路への給電を復活させるサーモスタットセンサと、
冷媒を圧縮する機能を含む圧縮機とを備え、
前記制御装置は、前記整流回路から前記電源回路への給電が遮断されている状態から復活した場合、前記圧縮機を駆動させると共に、前記タンクユニットと前記ヒートポンプユニットとの間で水を循環させる
ヒートポンプユニット。
【請求項２】
前記タンクユニットは、前記タンクユニットと前記ヒートポンプユニットとの間で水を循環させるためのポンプを含む
請求項１に記載のヒートポンプユニット。
【請求項３】
前記タンクユニットと前記ヒートポンプユニットとの間で水を循環させるためのポンプを更に備える
請求項１に記載のヒートポンプユニット。
【発明の詳細な説明】
【技術分野】
【０００１】
本発明は、例えば給湯器の室外機に用いられるヒートポンプユニットに関する。
【背景技術】
【０００２】
従来、室内に配置されるタンクユニットが有するマイクロコンピュータが室外に配置されるヒートポンプユニットへの給電を制御して、ヒートポンプユニットが待機状態である場合のヒートポンプユニットにおける消費電力を抑制する技術が提案されている（例えば、特許文献１参照）。
【先行技術文献】
【特許文献】
【０００３】
【特許文献１】特許第３８６１８０７号公報
【発明の概要】
【発明が解決しようとする課題】
【０００４】
上述のように、従来の技術は、ヒートポンプユニットが待機状態である場合のヒートポンプユニットにおける消費電力を抑制する。しかしながら、従来の技術では、待機状態である場合のヒートポンプユニットの内部に設けられている配管を通る水が凍結することを抑制するために、タンクユニットは、ヒートポンプユニットに定期的に通電し、ヒートポンプユニットの外部の空気の温度を示す情報をヒートポンプユニットから取得し、取得した情報をもとにヒートポンプユニットへの給電を制御する。【０００５】
そのため、従来の技術では、タンクユニットがヒートポンプユニットに定期的に通電することに伴う電力の消費が生じる。ヒートポンプユニットが待機状態である場合のヒートポンプユニットにおける消費電力を抑制すると共に、ヒートポンプユニットの内部に設けられている配管を通る水が凍結することを抑制する技術が提供されることが要求されている。【０００６】
本発明は、上記に鑑みてなされたものであって、待機状態において、消費電力を抑制すると共に、内部に設けられている配管を通る水が凍結することを抑制するヒートポンプユニットを得ることを目的とする。
【課題を解決するための手段】
【０００７】
上述した課題を解決し、目的を達成するために、本発明に係るヒートポンプユニットは、タンクユニットに接続されるヒートポンプユニットであって、タンクユニットから供給される交流電流を直流電流に変換する整流回路と、整流回路によって得られた直流電流から電源を生成する電源回路と、電源回路によって生成された電源をもとに動作し、整流回路から電源回路への給電を遮断させる機能を含む制御装置とを有する。本発明に係るヒートポンプユニットは、タンクユニットとヒートポンプユニットとの間を循環する水が通る配管と、配管の温度又はヒートポンプユニットの外部の空気の温度を検出し、検出した温度が配管を通る水が凍結する恐れがあるとあらかじめ決められた温度以下である場合、整流回路から電源回路への給電が遮断されているとき、整流回路から電源回路への給電を復活させるサーモスタットセンサと、冷媒を圧縮する機能を含む圧縮機とを更に有する。制御装置は、整流回路から電源回路への給電が遮断されている状態から復活した場合、圧縮機を駆動させると共に、タンクユニットとヒートポンプユニットとの間で水を循環させる。
【発明の効果】
【０００８】
本発明に係るヒートポンプユニットは、待機状態において、消費電力を抑制すると共に、内部に設けられている配管を通る水が凍結することを抑制することができる。
【図面の簡単な説明】
【０００９】
【図１】実施の形態１に係るヒートポンプユニットの構成を示す第１図
【図２】実施の形態１に係るヒートポンプユニットの構成を示す第２図
【図３】実施の形態１に係るヒートポンプユニットの構成を示す第３図
【図４】実施の形態２に係るヒートポンプユニットの構成を示す図
【図５】実施の形態１に係るヒートポンプユニットが有する制御装置の一部又は全部の機能がプロセッサによって実現される場合のプロセッサを示す図
【図６】実施の形態１に係るヒートポンプユニットが有する制御装置の一部又は全部の機能が処理回路によって実現される場合の処理回路を示す図
【発明を実施するための形態】
【００１０】
以下に、本発明の実施の形態に係るヒートポンプユニットを図面に基づいて詳細に説明する。なお、この実施の形態によりこの発明が限定されるものではない。
【００１１】
実施の形態１．
まず、実施の形態１に係るヒートポンプユニット７の構成を説明する。図１は、実施の形態１に係るヒートポンプユニット７の構成を示す第１図である。図１には、ヒートポンプユニット７に接続されるタンクユニット１も示されている。例えば、ヒートポンプユニット７は室外に配置され、タンクユニット１は室内に配置される。
【００１２】
ヒートポンプユニット７の構成を説明する前に、タンクユニット１の構成を説明する。タンクユニット１は、商用電源２に接続される電源端子台３と、電源端子台３に接続されている漏電遮断器４と、漏電遮断器４に接続されているタンク制御基板５及びヒートポンプユニット接続用端子台６とを有する。
【００１３】
漏電遮断器４は、漏電を遮断する機能を有する。タンク制御基板５は、タンクユニット１が有する構成要素を制御するために用いられる。ヒートポンプユニット接続用端子台６は、ヒートポンプユニット７に接続されている。商用電源２からタンクユニット１に供給される電源は、電源端子台３に供給され、漏電遮断器４を介して、タンク制御基板５及びヒートポンプユニット接続用端子台６に供給される。
【００１４】
ヒートポンプユニット７は、タンクユニット１に接続される。ヒートポンプユニット７は、タンクユニット１が有するヒートポンプユニット接続用端子台６に配線によって接続されているタンクユニット接続用端子台８を有する。ヒートポンプユニット７は、タンクユニット接続用端子台８に接続されているヒートポンプ制御基板９と、ヒートポンプ制御基板９に接続されている圧縮機１０とを更に有する。
【００１５】
タンクユニット接続用端子台８がヒートポンプユニット接続用端子台６に接続されているので、商用電源２からタンクユニット１に供給される電源は、ヒートポンプユニット７に供給される。タンクユニット接続用端子台８がヒートポンプユニット接続用端子台６に接続されているので、ヒートポンプユニット７とタンクユニット１との間で通信が行われる。
【００１６】
ヒートポンプ制御基板９は、ヒートポンプユニット７が有する構成要素を制御するために用いられる。圧縮機１０は、冷媒を圧縮する機能を有する。例えば、ヒートポンプ制御基板９は圧縮機１０を制御する。ヒートポンプ制御基板９とタンクユニット１が有するタンク制御基板５とは、ヒートポンプユニット接続用端子台６及びタンクユニット接続用端子台８を介して通信を行う。
【００１７】
図２は、実施の形態１に係るヒートポンプユニット７の構成を示す第２図である。図２では、圧縮機１０の図示が省略されている。図２にも、タンクユニット１が示されている。ヒートポンプユニット７が有するヒートポンプ制御基板９は、タンクユニット１からヒートポンプユニット７に供給される交流電流を直流電流に変換する整流回路１１を有する。ヒートポンプ制御基板９は、整流回路１１によって得られた直流電流から電源を生成する電源回路１２を更に有する。具体的には、電源回路１２は、整流回路１１によって得られた直流電流の電圧より低い電圧の電源を生成する。
【００１８】
ヒートポンプ制御基板９は、電源回路１２によって生成された電源をもとに動作し、整流回路１１から電源回路１２への給電を遮断させる機能を含む制御装置１３を更に有する。ヒートポンプ制御基板９は、タンクユニット１が有するタンク制御基板５と通信を行うヒートポンプユニット通信回路１４を更に有する。ヒートポンプユニット通信回路１４は、制御装置１３から出力された信号をタンク制御基板５に送信する際に用いられるヒートポンプユニット送信フォトカプラ１５と、タンク制御基板５から送信された信号を制御装置１３に伝送する際に用いられるヒートポンプユニット受信フォトカプラ１６とを有する。
【００１９】
ヒートポンプ制御基板９は、整流回路１１と電源回路１２との間に配置されている遮断用フォトカプラ１７を更に有する。遮断用フォトカプラ１７は、制御装置１３から出力される信号をもとにオン又はオフの状態になる。ヒートポンプ制御基板９は、ヒートポンプユニット通信回路１４に並列に接続されているトランジスタ１８及び通電制御用フォトカプラ１９を更に有する。通電制御用フォトカプラ１９がオンの状態である場合、遮断用フォトカプラ１７はオンの状態になる。
【００２０】
トランジスタ１８には、通電制御用フォトカプラ１９がオフの状態からオンの状態へ変化することを遅延させるコンデンサ２０が接続されている。ヒートポンプ制御基板９は、ヒートポンプユニット７の内部に設けられている水が通る配管の温度又はヒートポンプユニット７の外部の空気の温度を検出するサーモスタットセンサ２１を更に有する。サーモスタットセンサ２１は、遮断用フォトカプラ１７に並列に接続されており、検出した温度があらかじめ決められた温度以下である場合、整流回路１１から電源回路１２への給電が遮断されているとき、内部の接点を閉じ、整流回路１１から電源回路１２への給電を復活させる。当該あらかじめ決められた温度は、配管を通る水が凍結する恐れがある温度であって、例えば実験によって決められる。
【００２１】
タンクユニット１が有するタンク制御基板５は、ヒートポンプ制御基板９と通信を行う制御装置２２と、通信における信号を中継するタンクユニット送信フォトカプラ２３及びタンクユニット受信フォトカプラ２４とを有する。
【００２２】
図３は、実施の形態１に係るヒートポンプユニット７の構成を示す第３図である。図３では、ヒートポンプ制御基板９の図示が省略されている。図３にも、タンクユニット１が示されている。タンクユニット１は、水が溜められる貯湯タンク２５と、タンクユニット１とヒートポンプユニット７との間で水を循環させるポンプ２６とを更に有する。
【００２３】
ヒートポンプユニット７は、タンクユニット１とヒートポンプユニット７との間を循環する水が通る配管２７を更に有する。ヒートポンプユニット７は、圧縮機１０による圧縮によって比較的高温かつ比較的高圧となった冷媒と、タンクユニット１からヒートポンプユニット７に移動してきた水との間で熱交換を行わせるための水冷媒熱交換器２８を更に有する。
【００２４】
タンクユニット１は、ヒートポンプユニット７が有する水冷媒熱交換器２８における熱交換によって得られた湯が貯湯タンク２５に供給される際の二つの流路を切り替える出湯切替弁２９を更に有する。タンクユニット１は、出湯切替弁２９から貯湯タンク２５の下部側の部位までの流路に設けられている逆止弁３０を更に有する。
【００２５】
ヒートポンプユニット７は、冷媒を膨張させるための膨張弁３１と、冷媒とヒートポンプユニット７の外部の空気との間で熱交換を行わせるための空気熱交換器３２と、ヒートポンプユニット７の外部の空気を空気熱交換器３２に送るためのファン３３を更に有する。ヒートポンプユニット７は、水冷媒熱交換器２８から吐出された冷媒と空気熱交換器３２から吐出された冷媒との間で熱交換を行わせるための内部熱交換器３４を更に有する。
【００２６】
沸き上げ運転時には、タンクユニット１が有するポンプ２６は、タンクユニット１が有する貯湯タンク２５の下部から供給される水をヒートポンプユニット７に送る。ヒートポンプユニット７において水は水冷媒熱交換器２８を通って湯に変換され、湯がタンクユニット１に戻る。湯は、出湯切替弁２９による流路の選択により、貯湯タンク２５の上部から貯湯タンク２５の内部に流れる。
【００２７】
ヒートポンプユニット７が有する配管２７を通る水が凍結することを抑制する運転時には、ポンプ２６は貯湯タンク２５の下部から供給される水をヒートポンプユニット７に送り、ヒートポンプユニット７において、水は水冷媒熱交換器２８を通って湯に変換されてタンクユニット１に戻る。湯は、出湯切替弁２９による流路の選択により、貯湯タンク２５の下部側から貯湯タンク２５の内部に流れる。上述の通り、出湯切替弁２９から貯湯タンク２５の下部側の部位までの流路には、逆止弁３０が設けられている。そのため、出湯切替弁２９から貯湯タンク２５の下部側に流れる湯は出湯切替弁２９の側に流れない。
【００２８】
ヒートポンプユニット７において、圧縮機１０による圧縮によって比較的高温かつ比較的高圧となった冷媒は、水冷媒熱交換器２８を通る際、タンクユニット１からヒートポンプユニット７に供給される水との間で熱交換を行う。当該熱交換により、当該水は湯に変換される。
【００２９】
水冷媒熱交換器２８を通った冷媒は、冷媒の流量を制御する機能を有する膨張弁３１によって、比較的低温かつ比較的低圧の冷媒となる。比較的低温になった冷媒は、空気熱交換器３２に流れる。ファン３３は、ヒートポンプユニット７の外部の空気を空気熱交換器３２に送り、空気熱交換器３２に流れた冷媒は、ファン３３によって空気熱交換器３２に送られたヒートポンプユニット７の外部の空気との間で熱交換を行い、空気から熱を取り込む。
【００３０】
空気熱交換器３２を通った冷媒は、内部熱交換器３４に流れ、内部熱交換器３４において、水冷媒熱交換器２８から吐出された冷媒との間で熱交換を行い、圧縮機１０に戻る。内部熱交換器３４における熱交換により、圧縮機１０に戻る冷媒の温度は上昇する。つまり、内部熱交換器３４は圧縮機１０に戻る冷媒の温度を上昇させる機能を有する。圧縮機１０に戻った冷媒は、圧縮機１０によって圧縮されて、比較的高温かつ比較的高圧の冷媒となり、水冷媒熱交換器２８を通る際、タンクユニット１からヒートポンプユニット７に供給される水との間で熱交換を行う。当該熱交換により、当該水は湯に変換される。
【００３１】
次に、ヒートポンプユニット７の動作を説明する。沸き上げ運転が終了して待機状態になると、ヒートポンプユニット７が有するヒートポンプ制御基板９において、制御装置１３は、遮断用フォトカプラ１７をオフの状態にさせるための信号を遮断用フォトカプラ１７に出力する。当該信号により、遮断用フォトカプラ１７はオフの状態になり、整流回路１１から電源回路１２への電源の供給は停止する。
【００３２】
電源回路１２への電源の供給が停止すると、電源回路１２は動作を停止する。その結果、電源は制御装置１３に供給されず、制御装置１３は動作を停止する。電源回路１２への電源の供給が停止することにより、電源回路１２における消費電力は０Ｗとなる。つまり、ヒートポンプユニット７は、沸き上げ運転時が終了して待機状態になると、電源回路１２における消費電力を０Ｗにすることができる。
【００３３】
待機状態から沸き上げ運転が行われる場合、タンクユニット１のタンク制御基板５が有する制御装置２２は、タンクユニット送信フォトカプラ２３をあらかじめ決められた一定の時間以上オンの状態にさせるための信号をタンクユニット送信フォトカプラ２３に出力する。これにより、ヒートポンプユニット７が有するヒートポンプ制御基板９において、トランジスタ１８に電流が流れ、通電制御用フォトカプラ１９に電流が流れ、更には遮断用フォトカプラ１７をオンの状態にさせるための信号が遮断用フォトカプラ１７に供給される。
【００３４】
遮断用フォトカプラ１７をオンの状態にさせるための信号が遮断用フォトカプラ１７に供給されることにより、遮断用フォトカプラ１７はオンの状態になる。遮断用フォトカプラ１７がオンの状態になると、整流回路１１から電源回路１２への給電が再開する。電源回路１２は、動作を開始し、整流回路１１によって得られた直流電流から電源を生成し、生成した電源を制御装置１３に供給する。
【００３５】
制御装置１３は、電源回路１２から供給された電源をもとに起動し、遮断用フォトカプラ１７をオンの状態にさせるための信号を遮断用フォトカプラ１７に出力する。当該信号により、遮断用フォトカプラ１７はオンの状態を継続する。これにより、整流回路１１から電源回路１２へ給電が継続する。制御装置１３は、遮断用フォトカプラ１７をオンの状態にさせるための信号を待機状態になるまで遮断用フォトカプラ１７に出力し続ける。
【００３６】
トランジスタ１８のベース端子にはコンデンサ２０が接続されており、トランジスタ１８は、タンクユニット送信フォトカプラ２３があらかじめ決められた一定の時間以上オンの状態にならなければ、オンの状態にならない。つまり、タンクユニット１は、沸き上げ運転を行うために、待機状態のヒートポンプユニット７が有する電源回路１２に電源を供給するための専用の制御を行わなければならない。そのため、ユーザが意図しない状況での待機状態から沸き上げ運転への変更は抑制される。
【００３７】
ヒートポンプユニット７が有するヒートポンプ制御基板９は、遮断用フォトカプラ１７に並列に接続されているサーモスタットセンサ２１を有する。サーモスタットセンサ２１は、ヒートポンプユニット７の配管２７の温度又はヒートポンプユニット７の外部の空気の温度を検出し、検出した温度があらかじめ決められた温度より高い場合、内部の接点を開く。サーモスタットセンサ２１は、検出した温度があらかじめ決められた温度以下である場合、内部の接点を閉じる。
【００３８】
サーモスタットセンサ２１は、検出した温度があらかじめ決められた温度以下である場合、整流回路１１から電源回路１２への給電が遮断されているとき、内部の接点を閉じ、整流回路１１から電源回路１２への給電を復活させる。電源回路１２への給電が復活すると、制御装置１３に電源が供給され、制御装置１３が動作を開始する。これにより、制御装置１３は、配管２７を通る水が凍結することを抑制する制御を開始することができる。具体的には、制御装置１３は、整流回路１１から電源回路１２への給電が遮断されている状態から復活した場合、圧縮機１０を駆動させると共に、タンクユニット１とヒートポンプユニット７との間で水を循環させる。
【００３９】
ヒートポンプユニットに設けられている配管を通る水が凍結することを抑制する従来の技術では、タンクユニットは、ヒートポンプユニットに外気温を定期的にモニタさせ、ヒートポンプユニットの内部に設けられている配管を通る水が凍結する恐れがあると判断した場合、タンクユニットとヒートポンプユニットとの間で湯を循環させる。これにより、当該配管を通る水が凍結することは抑制される。
【００４０】
上述の通り、実施の形態１に係るヒートポンプユニット７では、サーモスタットセンサ２１が、ヒートポンプユニット７の配管２７の温度又はヒートポンプユニット７の外部の空気の温度を検出し、検出された温度があらかじめ決められた温度以下である場合、整流回路１１から電源回路１２への給電が遮断されているとき、整流回路１１から電源回路１２への給電を復活させる。これにより、電源が制御装置１３に供給される。
【００４１】
つまり、実施の形態１では、ヒートポンプユニット７の状態が待機状態である場合、サーモスタットセンサ２１は、ヒートポンプユニット７の配管２７の温度又はヒートポンプユニット７の外部の空気の温度の温度を検出する。検出された温度があらかじめ決められた温度以下である場合、制御装置１３は動作する。具体的には、制御装置１３は、圧縮機１０を駆動させると共に、タンクユニット１とヒートポンプユニット７との間で湯を循環させる。
【００４２】
ヒートポンプユニット７は、待機状態において、電源回路１２における消費電力を抑制する。これにより、ヒートポンプユニット７は、待機状態において、消費電力を抑制すると共に、配管２７を通る水が凍結することを抑制することができる。また、タンクユニット１がヒートポンプユニット７に外気温を定期的にモニタさせる必要がなくなる。また、タンクユニット１の制御装置２２が故障しても、ヒートポンプユニット７の配管２７を通る水が凍結することは抑制される。
【００４３】
実施の形態２．
図４は、実施の形態２に係るヒートポンプユニット７Ａの構成を示す図である。図４には、ヒートポンプユニット７Ａに接続されるタンクユニット１Ａも示されている。ヒートポンプユニット７Ａは、実施の形態１に係るヒートポンプユニット７が有するすべての構成要素を有する。ヒートポンプユニット７Ａは、実施の形態１に係るタンクユニット１が有するポンプ２６を有する。
【００４４】
タンクユニット１Ａは、実施の形態１に係るタンクユニット１が有する複数の構成要素のうちのポンプ２６以外の構成要素を有する。上述の通り、実施の形態１ではタンクユニット１がポンプ２６を有しているのに対し、実施の形態２ではヒートポンプユニット７Ａがポンプ２６を有する。その点が、実施の形態１と実施の形態２との相違点である。
【００４５】
そのため、ヒートポンプユニット７Ａは、実施の形態１に係るヒートポンプユニット７と同様に、待機状態において、消費電力を抑制すると共に、配管２７を通る水が凍結することを抑制することができる。タンクユニット１Ａの制御装置２２が故障しても、ヒートポンプユニット７Ａの配管２７を通る水が凍結することは抑制される。
【００４６】
図５は、実施の形態１に係るヒートポンプユニット７が有する制御装置１３の一部又は全部の機能がプロセッサ５１によって実現される場合のプロセッサ５１を示す図である。つまり、制御装置１３の一部又は全部の機能は、メモリ５２に格納されるプログラムを実行するプロセッサ５１によって実現されてもよい。プロセッサ５１は、ＣＰＵ（Central  Processing  Unit）、処理装置、演算装置、マイクロプロセッサ、又はＤＳＰ（Digital  Signal  Processor）である。図５には、メモリ５２も示されている。
【００４７】
制御装置１３の一部又は全部の機能がプロセッサ５１によって実現される場合、当該一部又は全部の機能は、プロセッサ５１と、ソフトウェア、ファームウェア、又は、ソフトウェア及びファームウェアとの組み合わせにより実現される。ソフトウェア又はファームウェアは、プログラムとして記述され、メモリ５２に格納される。プロセッサ５１は、メモリ５２に記憶されたプログラムを読み出して実行することにより、制御装置１３の一部又は全部の機能を実現する。
【００４８】
制御装置１３の一部又は全部の機能がプロセッサ５１によって実現される場合、ヒートポンプユニット７は、制御装置１３によって実行されるステップの一部又は全部が結果的に実行されることになるプログラムを格納するためのメモリ５２を有する。メモリ５２に格納されるプログラムは、制御装置１３が実行する手順又は方法の一部又は全部をコンピュータに実行させるものであるともいえる。
【００４９】
メモリ５２は、例えば、ＲＡＭ（Random  Access  Memory）、ＲＯＭ（Read  Only  Memory）、フラッシュメモリ、ＥＰＲＯＭ（Erasable  Programmable  Read  Only  Memory）、ＥＥＰＲＯＭ（登録商標）（Electrically  Erasable  Programmable  Read-Only  Memory）等の不揮発性もしくは揮発性の半導体メモリ、磁気ディスク、フレキシブルディスク、光ディスク、コンパクトディスク、ミニディスク又はＤＶＤ（Digital  Versatile  Disk）等である。
【００５０】
図６は、実施の形態１に係るヒートポンプユニット７が有する制御装置１３の一部又は全部の機能が処理回路６１によって実現される場合の処理回路６１を示す図である。つまり、制御装置１３の一部又は全部の機能は、処理回路６１によって実現されてもよい。
【００５１】
処理回路６１は、専用のハードウェアである。処理回路６１は、例えば、単一回路、複合回路、プログラム化されたプロセッサ、並列プログラム化されたプロセッサ、ＡＳＩＣ(Application  Specific  Integrated  Circuit)、ＦＰＧＡ（Field-Programmable  Gate  Array）、又はこれらを組み合わせたものである。
【００５２】
制御装置１３が有する複数の機能について、当該複数の機能の一部がソフトウェア又はファームウェアで実現され、当該複数の機能の残部が専用のハードウェアで実現されてもよい。このように、制御装置１３が有する複数の機能は、ハードウェア、ソフトウェア、ファームウェア、又はこれらの組み合わせによって実現することができる。
【００５３】
実施の形態１に係るタンクユニット１が有する制御装置２２の一部又は全部の機能は、メモリに格納されるプログラムを実行するプロセッサによって実現されてもよい。当該メモリは、制御装置２２によって実行されるステップの一部又は全部が結果的に実行されることになるプログラムを格納するためのメモリである。制御装置２２の一部又は全部の機能は、処理回路によって実現されてもよい。当該処理回路は、処理回路６１と同様の処理回路である。
【００５４】
以上の実施の形態に示した構成は、本発明の内容の一例を示すものであり、別の公知の技術と組み合わせることも可能であるし、本発明の要旨を逸脱しない範囲で、構成の一部を省略又は変更することも可能である。
【符号の説明】
【００５５】
１，１Ａ  タンクユニット、２  商用電源、３  電源端子台、４  漏電遮断器、５  タンク制御基板、６  ヒートポンプユニット接続用端子台、７，７Ａ  ヒートポンプユニット、８  タンクユニット接続用端子台、９  ヒートポンプ制御基板、１０  圧縮機、１１  整流回路、１２  電源回路、１３，２２  制御装置、１４  ヒートポンプユニット通信回路、１５  ヒートポンプユニット送信フォトカプラ、１６  ヒートポンプユニット受信フォトカプラ、１７  遮断用フォトカプラ、１８  トランジスタ、１９  通電制御用フォトカプラ、２０  コンデンサ、２１  サーモスタットセンサ、２３  タンクユニット送信フォトカプラ、２４  タンクユニット受信フォトカプラ、２５  貯湯タンク、２６  ポンプ、２７  配管、２８  水冷媒熱交換器、２９  出湯切替弁、３０  逆止弁、３１  膨張弁、３２  空気熱交換器、３３  ファン、３４  内部熱交換器、５１  プロセッサ、５２  メモリ、６１  処理回路。
【図１】
2020179030.tif 000003
【図２】
2020179030.tif 000004
【図３】
2020179030.tif 000005
【図４】
2020179030.tif 000006
【図５】
2020179030.tif 000007
【図６】
2020179030.tif 000008
【手続補正書】
【提出日】令和3年2月18日(2021.2.18)
【手続補正１】
【補正対象書類名】特許請求の範囲
【補正対象項目名】全文
【補正方法】変更
【補正の内容】
【特許請求の範囲】
【請求項１】
タンクユニットに接続されるヒートポンプユニットであって、
前記タンクユニットから供給される交流電流を直流電流に変換する整流回路と、
前記整流回路によって得られた直流電流から電源を生成する電源回路と、
前記電源回路によって生成された電源をもとに動作し、沸き上げ運転が終了した後に前記整流回路から前記電源回路への給電を遮断させて自己への給電を止める機能を含む制御装置と、
前記タンクユニットと通信を行うヒートポンプユニット通信回路と、
前記タンクユニットからの信号により前記電源回路へ電源を供給させる通電制御用フォトカプラと、
前記タンクユニットと前記ヒートポンプユニットとの間を循環する水が通る配管と、
前記配管の温度又は前記ヒートポンプユニットの外部の空気の温度を検出し、検出した温度が前記配管を通る水が凍結する恐れがあるとあらかじめ決められた温度以下である場合、前記整流回路から前記電源回路への給電が遮断されているとき、前記整流回路から前記電源回路への給電を復活させるサーモスタットセンサと、
冷媒を圧縮する機能を含む圧縮機とを備え、
前記制御装置は、前記整流回路から前記電源回路への給電が遮断されている状態から前記サーモスタットセンサによる制御によって前記整流回路から前記電源回路への給電が復活した場合、前記圧縮機を駆動させると共に、前記タンクユニットと前記ヒートポンプユニットとの間で水を循環させ、
前記制御装置は、前記整流回路から前記電源回路への給電が遮断されている状態から前記ヒートポンプユニット通信回路からの信号により前記整流回路から前記電源回路への給電が復活した場合、タンクユニットの制御装置による制御を行う
ヒートポンプユニット。
【請求項２】
前記タンクユニットは、前記タンクユニットと前記ヒートポンプユニットとの間で水を循環させるためのポンプを含む
請求項１に記載のヒートポンプユニット。
【請求項３】
前記タンクユニットと前記ヒートポンプユニットとの間で水を循環させるためのポンプを更に備える
請求項１に記載のヒートポンプユニット。
【手続補正２】
【補正対象書類名】明細書
【補正対象項目名】０００７
【補正方法】変更
【補正の内容】
【０００７】
上述した課題を解決し、目的を達成するために、本発明に係るヒートポンプユニットは、タンクユニットに接続されるヒートポンプユニットであって、タンクユニットから供給される交流電流を直流電流に変換する整流回路と、整流回路によって得られた直流電流から電源を生成する電源回路と、電源回路によって生成された電源をもとに動作し、沸き上げ運転が終了した後に整流回路から電源回路への給電を遮断させて自己への給電を止める機能を含む制御装置とを有する。本発明に係るヒートポンプユニットは、タンクユニットと通信を行うヒートポンプユニット通信回路と、タンクユニットからの信号により電源回路へ電源を供給させる通電制御用フォトカプラと、タンクユニットとヒートポンプユニットとの間を循環する水が通る配管と、配管の温度又はヒートポンプユニットの外部の空気の温度を検出し、検出した温度が配管を通る水が凍結する恐れがあるとあらかじめ決められた温度以下である場合、整流回路から電源回路への給電が遮断されているとき、整流回路から電源回路への給電を復活させるサーモスタットセンサと、冷媒を圧縮する機能を含む圧縮機とを更に有する。制御装置は、整流回路から電源回路への給電が遮断されている状態からサーモスタットセンサによる制御によって整流回路から電源回路への給電が復活した場合、圧縮機を駆動させると共に、タンクユニットとヒートポンプユニットとの間で水を循環させる。制御装置は、整流回路から電源回路への給電が遮断されている状態からヒートポンプユニット通信回路からの信号により整流回路から電源回路への給電が復活した場合、タンクユニットの制御装置による制御を行う。
【国際調査報告】
2020179030.tif 000009
2020179030.tif 000010